(57)【要約】  本発明は、主音源がはじかれた、打たれた、または擦られたときの張設された弦の振動である弦楽器からの音の増幅を提供し、弦楽器または類似の楽器の音を増幅するのに使用される、可撓性の基部（０３）と有孔の音出力部（０７）とを備えた音響箱（０２）を含む可搬型音響機器（０１）からなり、ＰＣＩアンプ基板（０４）、電源バッテリー（０５）、スピーカ音アンプ（０６）、サブウーファ（０８）、音入出力コネクタ（０９および１０）、およびＬＥＤ光を有するＯｎ／Ｏｆｆコネクタ（１１）などの動作機器、ならびに下部に設置されたＰ１０プラグ（１２）または類似物およびｉＰｈｏｎｅなどのスマートフォン用もしくはｉＰｏｄ用のコネクタ（１３）または類似物および／またはＵＳＢコネクタ（１４）を内部に含む、ある種の音響増幅共鳴箱に関する。【選択図】図４
2016504613.tif 000002
【特許請求の範囲】
【請求項１】
弦楽器および類似の楽器の音増幅のための可搬型音響機器であって、
可撓性の基部（０３）と有孔の音出力部（０７）とを備えた音響箱（０２）が使用される可搬型音響機器（０１）からなり、前記可搬型音響機器（０１）が、ＰＣＩアンプ基板（０４）、電源バッテリー（０５）、スピーカ音アンプ（０６）、サブウーファ（０８）、音入出力コネクタ（０９および１０）、およびＬＥＤ光を有するＯｎ／Ｏｆｆコネクタ（１１）などの動作機器、ならびに下部に設置されたＰ１０プラグ（１０）または類似物およびｉＰｈｏｎｅなどのスマートフォン用もしくはｉＰｏｄ用のコネクタ（１３）または類似物および／またはＵＳＢコネクタ（１４）を内部に含むことを特徴とする、弦楽器および類似の楽器の音増幅のための可搬型音響機器。
【請求項２】
ＰＣＩアンプ基板（０４）が、前記バッテリー（０５）の電力供給を管理し、更には電気信号を音波に変換し、前記音アンプ（０６）および前記サブウーファ（０８）を通じて音波を増幅しかつ伝送することを特徴とする、請求項１に記載の、弦楽器および類似の楽器の音増幅のための可搬型音響機器。
【請求項３】
常に前記音響箱（０２）の収容能力および更には前記アンプ基板（０４）の増幅能力に従って、前記音アンプ（０６）および前記サブウーファ（０８）が様々な出力を有することができることを特徴とする、請求項１に記載の、弦楽器および類似の楽器の音増幅のための可搬型音響機器。
【請求項４】
ビオラ、ボックスギター、エレキギター、ベースギターなどの、前記可搬型音響機器が使用される弦楽器の外形に従って、前記可搬型音響機器（０１）が種々の出力および様々な大きさで作製され得ることを特徴とする、請求項１〜３のいずれか一項に記載の、弦楽器および類似の楽器の音増幅のための可搬型音響機器。
【発明の詳細な説明】
【発明の詳細な説明】
【０００１】
本発明は、弦楽器および類似の楽器の音を増幅する可搬型音響機器からなる、ある種の音響増幅共鳴箱に関し、それらの楽器では当然ながら、大抵の弦楽器で作動させたときに弦の振動によって低音量が発生するので、この可搬型音響機器は、主音源がはじかれた、打たれた、または擦られたときの張設された弦の振動である弦楽器から流れる音を増幅し、それにより、演奏者および演奏者の楽器の近くの聴衆のみならず、より遠くの聴衆に届く、より大きな周囲音およびより良好な音質を提供するために、「Ｐ１０」プラグを通じてそれら弦楽器に取り付けられる。
【０００２】
弦の振動により発生する弦楽器の低音量のため、一部の弦楽器は、プリアンプなしに遠い距離（特に屋外）に広がり得る音を発生させることができないという理由から、ケーブルまたは無線送信器を通じて共鳴箱にプリアンプが接続されることが知られており、音をどこでも直ちに増幅するために弦楽器に直接接続することが可能な可搬型機器については全く知られておらず、このことは、大勢の聴衆に音が届くことを期待する、開放環境または密閉環境で楽器を使用する際の問題である。
【０００３】
それゆえ、本発明は、この問題および困難を解決する目的で開発されており、添付図の助けを借りてより良く理解される。
【図面の簡単な説明】
【０００４】
【図１】可搬型音響機器を示す上面図である。
【図２】内部の可視化を可能にする断面を伴う、可搬型音響機器を示す斜視側面図である。
【図３】可搬型音響機器を示す斜視正面図である。
【図４】可搬型音響機器を示す前面図である。
【図５】可搬型音響機器を示す後面図である。
【図６】断面を伴わない、可搬型音響機器を示す図２と同じ図である。
【図７】弦楽器モデルに可搬型音響機器を取り付けた状態を図示する図である。
【図８】第２の弦楽器モデルに可搬型音響機器を取り付けた状態を図示する図である。
【発明を実施するための形態】
【０００５】
添付図によれば、可搬型音響機器（０１）は、可撓性の基部（０３）と有孔の音出力部（０７）とを備えた音響箱（０２）からなり、ＰＣＩアンプ基板（０４）、電源バッテリー（０５）、スピーカ音アンプ（０６）、サブウーファ（０８）、音入出力コネクタ（０９および１０）、およびＬＥＤ光を有するＯｎ／Ｏｆｆコネクタ（１１）などの動作機器、ならびに下部に設置されたＰ１０プラグ（１２）または類似物およびｉＰｈｏｎｅなどのスマートフォン用もしくはｉＰｏｄ用のコネクタ（１３）または類似物および／またはＵＳＢコネクタ（１４）を内部に含む。
【０００６】
それゆえ、この可搬型音響機器（０１）は、可撓性の基部（０３）により提供される音響箱（０２）の下部が「Ｐ１０」プラグまたは類似のプラグを通じて弦楽器の背面または側面に連結されるように、プラスチックまたは類似の材料で作製された音響箱（０２）を有し得る。
【０００７】
使用される電源バッテリー（０５）は、技術開発によるリチウムバッテリーまたは類似物であり、したがって、ＵＳＢポート（１４）または電気コンセントプラグを電気的に介することを含めて再充電可能であることに加えて、より長い持続時間を提供する。
【０００８】
バッテリー（０５）からの電力供給を管理することに加えて、ＰＣＩアンプ基板（０４）はまた、内部機器を相互に接続し、電気信号を音波に変換し、スピーカ音アンプ（０６）およびサブウーファ（０８）を通じてこれらの音波を増幅しかつ伝送する役割を果たし、そして、常に音響箱（０２）の収容能力および更には前記アンプ基板（０４）の増幅能力に従って、これらスピーカ音アンプ（０６）およびサブウーファ（０８）を様々な出力で組み合わせることができる。
【０００９】
コネクタ（１３および１４）を、楽器の取り扱い中に演奏者の伴奏を可能にするために、予め録音された伴奏ベースとしての音入力に使用することもできる。
【００１０】
それゆえ、ビオラ、ボックスギター、エレキギター、ベースギターなどの、可搬型音響機器が使用される弦楽器の外形に従って、この可搬型音響機器（０１）が種々の出力および様々な大きさで作製されることができ、かつ、Ｐ１０プラグ（１２）は、楽器内に既に設置されているプリアンプ機器に挿入され、かつ、任意の楽器が前記プリアンプ機器を有さない場合に、楽器に孔を開けないためにプリアンプ機器の設置を望まずに、プリアンプミックスを共鳴箱（０１）に挿入することができ、かつ、雌プラグを設置するためまたは楽器の内部から外に接触配線を通すために楽器に小さな孔を作製することができ、この孔は、Ｐ１０プラグ（１２）を差し込むための前記雌プラグを収容する。
【図１】
2016504613.tif 000003
【図２】
2016504613.tif 000004
【図３】
2016504613.tif 000005
【図４】
2016504613.tif 000006
【図５】
2016504613.tif 000007
【図６】
2016504613.tif 000008
【図７】
2016504613.tif 000009
【図８】
2016504613.tif 000010
【国際調査報告】
2016504613.tif 000011
2016504613.tif 000012
2016504613.tif 000013
2016504613.tif 000014